(57)【特許請求の範囲】
【請求項１】
軌条車両のシャーシの少なくとも１つの車輪ユニット（８，９，１０，５１，５２）の車輪（１１，５３，１０３，１０８，１１５）を能動的にラジアル制御する方法にあって、この方法の場合、少なくとも１つの調節装置（３６〜４１，６３〜６５，６８〜７６，１０１，１０２，１２４）によってシャーシ又はボデーに対する車輪ユニット（８，１０，５１，５２）の角度位置を変える調節動作が、車輪ユニット（８，９，１０，５１，５２）に作用され、この場合、当該調節動作による集中制御が、少なくとも２つの同一でない周波数範囲内で実施され、この場合、第１調節動作が、第１周波数範囲内で車輪ユニット（８，９，１０，５１，５２）に作用され、第２調節動作が、この第１周波数範囲と異なる第２周波数範囲内で重畳してこの車輪ユニット（８，９，１０，５１，５２）に作用され、第２周波数範囲の少なくとも一部が、第１周波数範囲の周波数よりも高くあり、
シャーシの車輪ユニット（８，９，１０，５１，５２）の車輪（１１，５３，１０３，１０８，１１５）に作用する横方向の力が所定に分散するように、車輪ユニット（８，９，１０，５１，５２）の車輪（１１，５３，１０３，１０８，１１５）が、曲線走行時に第１周波数範囲内の調節動作によってほぼ静的に調節され、
車両の走行安定性が、第２周波数範囲内の調節動作によって制御される方法において、
第２周波数範囲内の制御が、リアルタイムで実施され、この場合
車両及び／又は車輪ユニット（８，９，１０，５１，５２）の瞬間の状況を示す少なくとも１つの状況値の瞬時値が算出され、
この車両及び／又は車輪ユニット（８，９，１０，５１，５２）の瞬間の状況の表示が、当該瞬時値から直接算出され、その走行安定性が分析され、
不安定な瞬間の状況が算出された場合、少なくとも１つの調節装置（３６〜４１，６３〜６５，６８〜７６，１０１，１０２，１２４）の、安定な状況を得るために必要な変数パラメータの値が算出され、
前記少なくとも１つの調節装置（３６〜４１，６３〜６５，６８〜７６，１０１，１０２，１２４）が、その都度の変数パラメータの算出された値を使用の下で制御されて、前記車両及び／又は車輪ユニット（８，９，１０，５１，５２）を安定な状況にすることを特徴とする方法。
【請求項２】
集中制御がシャーシ内で機械的な作用連結なしにボデーに作用するように、この集中制御は、台車を有するシャーシを備えた車両で構成されていることを特徴とする請求項１に記載の方法。
【請求項３】
シャーシの車輪ユニット（８，９，１０，５１，５２）の車輪（１１，５３，１０３，１０８，１１５）に作用する横方向の力の分布が生じ、この分布の場合、走行状況がプリセット可能な運転条件及び保守条件に合わせられているように、車輪ユニット（８，９，１０，５１，５２）の車輪（１１，５３，１０３，１０８，１１５）が、第１周波数範囲内の調節動作によって曲線走行時にほぼ静的に調節されることを特徴とする請求項１又は２に記載の方法。
【請求項４】
第２周波数範囲の少なくとも一部が、第１周波数範囲から成る周波数よりも高くある周波数を含むことを特徴とする請求項１〜３のいずれか１項に記載の方法。
【請求項５】
第２周波数範囲は、第１周波数範囲よりも上にあることを特徴とする請求項１〜４のいずれか１項に記載の方法。
【請求項６】
第２周波数範囲は、第１周波数範囲に隣接していることを特徴とする請求項１〜５のいずれか１項に記載の方法。
【請求項７】
第１周波数範囲は、０Ｈｚ〜３Ｈｚであることを特徴とする請求項１〜６のいずれか１項に記載の方法。
【請求項８】
第２周波数範囲は、０Ｈｚ〜１０Ｈｚであることを特徴とする請求項１〜７のいずれか１項に記載の方法。
【請求項９】
第２周波数範囲は、３Ｈｚ〜１０Ｈｚであることを特徴とする請求項１〜７のいずれか１項に記載の方法。
【請求項１０】
制御部が、少なくとも１つの迅速に反応する調節装置（３６〜４１，６３〜６５，６８〜７６，１０１，１０２，１２４）を制御し、この調節装置（３６〜４１，６３〜６５，６８〜７６，１０１，１０２，１２４）は、シャーシ又はボデーに対する車輪ユニット（８，１０，５１，５２）の角度位置を調節することを特徴とする請求項１〜９のいずれか１項に記載の方法。
【請求項１１】
少なくとも２つの車輪ユニット（８，９，１０，５１，５２）を有する車両の外輪ユニット（８，１０，５１，５２）間の相対角度が、調節動作によって制御されることを特徴とする請求項１〜１０のいずれか１項に記載の方法。
【請求項１２】
シャーシ又はボデーに対する少なくとも１つの車輪ユニット（８，９，１０，５１，５２）の絶対角度が、調節動作によって制御されることを特徴とする請求項１〜１１のいずれか１項に記載の方法。
【請求項１３】
車輪ユニット（８，９，１０，５１，５２）の調節が、曲率半径、走行速度、一様でない横加速度、摩擦係数、及び、車輪（１１，５３，１０３，１０８，１１５）とレールとの間の分布パラメータのうちの少なくとも１つに応じて制御されることを特徴とする請求項１〜１２のいずれか１項に記載の方法。
【請求項１４】
台車のシャーシ又はボデーに対する少なくとも１つの車輪ユニット（８，９，１０，５１，５２）の算出された横方向の変位、台車のシャーシ又はボデーの少なくとも１つの車輪ユニット（８，９，１０，５１，５２）の算出されたヨー角度、少なくとも１つの調節装置（３６〜４１，６３〜６５，６８〜７６，１０１，１０２，１２４）の算出された調節変位又は調節角度、少なくとも１つの調節装置（３６〜４１，６３〜６５，６８〜７６，１０１，１０２，１２４）の算出された調節量、算出された走行速度、車輪ユニット（８，９，１０，５１，５２）の横方向の算出された速度又は加速度、車輪ユニット（８，９，１０，５１，５２）の算出されたヨー速度又はヨー加速度、及び、走行路の曲率半径のうちの少なくとも１つが、制御方法に対して用いられることを特徴とする請求項１〜１３のいずれか１項に記載の方法。
【請求項１５】
車両の少なくとも１つの車輪ユニット（８，９，１０，５１，５２）を能動的にラジアル制御する装置にあって、この装置の場合、
調節動作を車輪ユニット（８，９，１０，５１，５２）に対して作用させるため、すなわち垂直軸周りに回転及び／又は横方向に並進させるため、車輪ユニット（８，９，１０，５１，５２）に連結されている少なくとも１つの調節装置（３６〜４１，６３〜６５，６８〜７６，１０１，１０２，１２４）を有し、
この調節装置（３６〜４１，６３〜６５，６８〜７６，１０１，１０２，１２４）を制御するため、この調節装置（３６〜４１，６３〜６５，６８〜７６，１０１，１０２，１２４）に連結されている制御装置を有し、
実際に走行すべき走行路区間の曲率半径に応じて車輪ユニット（８，９，１０，５１，５２）のほぼ静的な操舵を生成するため、第１調節動作を第１周波数範囲内でこの車輪ユニット（８，９，１０，５１，５２）に作用され、
この車輪ユニット（８，９，１０，５１，５２）の操舵を生成して車両の走行を安定化させるため、第１調節動作に重畳した第２調節動作を第１周波数範囲と異なる第２周波数範囲内でこの車輪ユニット（８，９，１０，５１，５２）に作用されるように、調節装置（３６〜４１，６３〜６５，６８〜７６，１０１，１０２，１２４）を制御する制御装置が構成されていて、この場合、シャーシの車輪ユニット（８，９，１０，５１，５２）の車輪（１１，５３，１０３，１０８，１１５）に作用する横方向の力が所定に分散するように、車輪ユニット（８，９，１０，５１，５２）の車輪（１１，５３，１０３，１０８，１１５）が、曲線走行時に第１周波数範囲内の調節動作によってほぼ静的に調節され、車両の走行安定性が、第２周波数範囲内の調節動作によって制御される装置において、
第２周波数範囲内の制御が、リアルタイムで実施されるように、前記調節装置（３６〜４１，６３〜６５，６８〜７６，１０１，１０２，１２４）を制御する前記制御装置が構成されていて、この場合
車両及び／又は車輪ユニット（８，９，１０，５１，５２）の瞬間の状況を示す少なくとも１つの状況値の瞬時値が算出され、
この車両及び／又は車輪ユニット（８，９，１０，５１，５２）の瞬間の状況の表示が、当該瞬時値から直接算出され、その走行安定性が分析され、
不安定な瞬間の状況が算出された場合、少なくとも１つの調節装置（３６〜４１，６３〜６５，６８〜７６，１０１，１０２，１２４）の、安定な状況を得るために必要な変数パラメータの値が算出され、
前記少なくとも１つの調節装置（３６〜４１，６３〜６５，６８〜７６，１０１，１０２，１２４）が、その都度の変数パラメータの算出された値を使用の下で制御されて、前記車両及び／又は車輪ユニット（８，９，１０，５１，５２）を安定な状況にすることを特徴とする装置。
【請求項１６】
調節装置（３６〜４１，６３〜６５，６８〜７６，１０１，１０２，１２４）は、電気式、油圧式又は空気式のアクチュエータ（３６〜４１，６３〜６５，６８〜７６，１０１，１０２，１２４）として構成されていることを特徴とする請求項１５に記載の装置。
【請求項１７】
少なくとも１つの調節装置（３６〜４１，６３〜６５，６８〜７６，１０１，１０２，１２４）が、車輪ユニットの１車輪（１１，５３，１０３，１０８，１１５）当たり及び／又は車輪ユニット（８，９，１０，５１，５２）の１車輪軸受当たり及び／又は連結された複数の車輪（１１，５３，１０３，１０８，１１５）当たり設けられていることを特徴とする請求項１５又は１６に記載の装置。
【請求項１８】
少なくとも２つの車輪（１１，１０３，１０８，１１５）が、互いに連結されていることを特徴とする請求項１５〜１７のいずれか１項に記載の装置。
【請求項１９】
少なくとも２つの連結された車輪（１１，５３，１０３，１０８，１１５）が１つの車輪ユニット（８，９，１０，５１，５２）に属し、及び／又は２つの連結された車輪が異なる車輪ユニットに属し、この場合、これらの連結された車輪は、同一の又は対向する車両面上に配置されていることを特徴とする請求項１８に記載の装置。
【請求項２０】
変速機が、調節装置（３６〜４１，６３〜６５，６８〜７６，１０１，１０２，１２４）と車輪ユニット（８，９，１０，５１，５２）の車輪（１１，５３，１０３，１０８，１１５）又は車輪軸受との間に配置されていることを特徴とする請求項１５〜１９のいずれか１項に記載の装置。
【請求項２１】
調節装置（３６，３７，３９，４０，６３，６４，６８〜７０）は、線形動作することを特徴とする請求項１５〜２０のいずれか１項に記載の装置。
【請求項２２】
調節装置（３８，４１，６５，７１，７２，１０１，１０２，１２４）は、回転動作することを特徴とする請求項１５〜２１のいずれか１項に記載の装置。
【請求項２３】
調節装置（７１，１０１，１０２）は、車両の異なる側面の車輪（１１，５３，１０３，１０８，１１５）間に配置されていることを特徴とする請求項１５〜２２のいずれか１項に記載の装置。
【請求項２４】
調節装置（３６〜４１，６３〜６５，６８，６９，７２，７５，７６，１２４）は、車両面上に、特に車両面の車輪（１１，５３，１０３，１０８，１１５）間に配置されていることを特徴とする請求項１５〜２３のいずれか１項に記載の装置。
【請求項２５】
多数の調節装置（３６〜４１）が、冗長性を提供するために組み合わされることを特徴とする請求項１５〜２４のいずれか１項に記載の装置。
【発明の詳細な説明】
【技術分野】
【０００１】
本発明は、車両の車輪対又は一組の車輪を能動的にラジアル制御する方法及び装置に関する。本発明は、−限定されないものの−特に軌条車両の用途に適する。
【背景技術】
【０００２】
曲線路内の以下では総称で車輪ユニットによって示す車輪対又は一組の車輪をほぼ静的に調節する一連の機械装置が公知である。これらの機械装置は、受動的な手段又は能動的な手段を有する。アクティブ制御の場合、車輪ユニットは、曲率半径にしたがって合わせられて保持される。これらの装置は、車輪ユニットを曲線路に対して一定の関係で操縦し、シャーシ又は車両の車輪ユニットに作用する最大で限定した領域に対する横方向の力の和を均等に（平均）する。この場合、走行安定性が、車輪ユニットを長手方向に一定に制御する従来の車輪のときよりも良好でない点が欠点である；一番うまくいった場合でも、特性が低下する。走行信頼性を保証するためには、機械的な装置、例えば横揺れ止めダンパ(Schlingerdampfer) 又は摩擦回転止め部材(Reibungs-Drehhemmungen)も必要になる。これらの機械的な装置は、湾曲部分の良好な走行と走行安定性との間の妥協にすぎず、一般にボデー(Wagenkasten) 内の構造振動を助長する。多くの場合、追加のダンパ要素が、車輪ユニットの連結部内で必要である。
【０００３】
ヨーロッパ特許発明第 0 785 123号明細書は、個々の車輪ユニットから車輪の追従に対するデータを得て評価する方法を記す。ここで開示した方法の場合、車輪の方向転換運動が、角度，角速度又は角加速度として角度センサによって動力なしに走査され、この測定された値又はこれらの測定された値が、その周波数成分に分解され、周波数スペクトルから突出している運動が、振幅，周波数及び位相位置に基づいてノイズと認識され、こうして認識されたベクトルが、これらのベクトルの 180°の位相回転及び評価後に車両の設定角度の変化に対する情報として制御部又は調節部に入力され、そして運動のノイズ成分が、この制御部又は調節部によって車輪の運動から分離される。この方法は、車輪対又は一組の車輪と軌道との間の横方向の力を考慮しない。
【０００４】
ヨーロッパ特許発明第 0 374 290号明細書から、操縦によって旋回可能であるプリセット可能な数の個々の車輪を車両の長手方向軸線に沿って両側に有する列車が公知である。曲線路内の各々の車輪の軌道誤差のない操縦は、軌道走行測定装置が設けられていることによって実現されなければならない。この軌道変化測定装置は、軌道の変化からの車両軸線のずれを測定し、この測定されたずれに応じて各々の車輪に関する操縦信号をその他のそれぞれの個々の車輪に関係なく生成する。軌道変化測定装置としては、光電原理，磁気原理又は電磁原理に基づく非接触式に作動するシステムが提唱されている。本発明は、車輪対又は一組の車輪を有する車両には使用できない。
【０００５】
日本の出願群の特開平6-199236号公開公報，特開平7-81564号公開公報及び特開平7-81565号公開公報は、台車枠と輪軸との間の流体アクチュエータによる波形又は正弦波形の影響を記す。これらの出願群は、記録される並進振動又はヨー振動のスペクトル中の波形の周波数の認識を基礎にする。これに対して、台車当たり少なくとも８個のセンサ及び引き続く周波数分析によるより長いデータ収集が必要である。
【０００６】
車輪ユニットの経過状況の影響に関する上述した全ての方法及び装置は、
１．曲線を走行中に、すなわち曲線路内の走行時に操縦によって軌道を適切に走行するためだけに使用され、及び／又は、
２．波形の周波数を算定しかつ同じ周波数で作用する（これに対して、フーリエ変換が必要であり、このフーリエ変換は、車輪とレールとの接触中の急激に変化する分布パラメータに対する時間損失を意味する）ためだけに使用されるものの、一時的な負荷状況と運動状況に急激に変化しうるリアルタイムの応答の意味で車輪対又は一組の車輪に対して不安定に作用する点が、これらの方法及び装置の欠点である。それ故にこれらの手段は、直線区間上では軌道走行の改善に対して非常に限定的にしか寄与しない。
【発明の開示】
【発明が解決しようとする課題】
【０００７】
本発明の課題は、従来の技術の説明した欠点を排除し、特に直線走行時と曲線走行時の双方でも磨耗のない快適で確実な走行を保証する特に車両の車輪ユニットを能動的にラジアル制御する方法及び装置を提供することにある。さらに本発明の課題は、リアルタイムの効果を奏さない周波数分析に対するより長いデータ収集が必要になることなしに、車輪の望ましくない煩わしい存在である運動を適した安定化手段によって直接排除することにある。さらに、車輪とレールの磨耗が減少する。
【課題を解決するための手段】
【０００８】
この課題は、請求項１に記載の特徴による方法及び請求項１５に記載の特徴による装置によって解決される。
【０００９】
本発明の目的に適した構成及びその他の構成は、従属請求項中に記載されている。
【００１０】
車両の少なくとも１つの車輪ユニットの車輪を半径方向にアクティブ制御する本発明の方法は、集中制御にある。この集中制御は、−台車、特に完全にシャーシ内部で、すなわち機械的な連結されていないボデーの場合−調節動作を少なくとも２つの同一でない周波数範囲内で車輪ユニットに作用させる。この場合、第１調節動作が、第１周波数範囲内で車輪ユニットに作用される。そして、この第２調節動作が、第１周波数範囲と異なる第２周波数範囲内で重畳して作用される。
【００１１】
特にこの場合、車両の走行安定性が、第２周波数領域内の調節動作によって制御される。
【００１２】
車両の−場合によっては台車内に又は台車に配置された−少なくとも１つの車輪ユニットを半径方向にアクティブ制御する本発明の装置は、車輪ユニットに接続されていて調節動作を車輪ユニットに作用する調節装置及びこの調節装置に接続されていてこの調節装置を制御する制御装置を有する。この場合、この調節装置は、特に垂直軸周りの回転に作用し、追加的に又は選択的に車輪ユニットに対する横方向の並進に作用するために使用される。車輪ユニットの調節装置が第１周波数範囲内で実際に走行すべき走行区間の曲率半径に応じて車輪ユニットのほぼ静的な調節を発生させる第１調節動作を作用するように、この制御装置は調節装置を制御するために構成されている。さらに、第１周波数範囲と異なる第２周波数範囲内で第１調節動作に重畳して第２調節動作が車輪ユニットに作用するように、安定制御の種類にしたがって調節装置を制御するこの制御装置は構成されている。これらの調節動作は、車輪ユニットの調節を発生させて車両の走行を安定化させるために使用される。
【００１３】
換言すれば、簡単な調節駆動部として構成され得る調節装置は、制御装置の基準値に応じて調節して力を発生させる。その結果、車輪ユニット、すなわち車輪対又は一組の車輪が、垂直軸周りに回転する。そして追加的に又は選択的に、車輪ユニットが、横方向に並進する。調節装置が、通過すべき区間、例えば曲線路の曲率半径に応じてほぼ静的に調節して応力を発生させ、曲線走行時でも直線走行時でも車両の走行を安定化させる一般により高い別の周波数で調節と応力を重畳するように、この調節装置、すなわち例えば調節駆動部は構成されている。この場合、車両の多数の、特に全ての車輪ユニットが本発明の半径方向の制御によって制御されるときに、横方向の力を特に良好に調節することができ、そして特に効果的に安定化させることができる。
【００１４】
第１調節動作及び第２調節動作の周波数が、一定にプリセットされている周波数ではなくて、時間的に変化する周波数であることが分かっている。この時間的に変化する周波数は、最終的には車両の実際の運動状況によって、すなわち特に車両の瞬間速度と実際に走行する区間部分によってプリセットされる。
【００１５】
本発明の方法の好適な実施の形態の場合、第２周波数範囲の少なくとも一部が、第１周波数範囲から成る周波数よりも高い周波数を含む。特に第２周波数範囲は、第１周波数範囲よりも上にある。特に第２周波数範囲は、第１周波数範囲に隣接している。この場合、第１周波数範囲に対して好ましい値は０Hz〜３Hzである一方で、第２周波数範囲は０Hz〜10Hz、特に３Hz〜10Hzである。
【００１６】
本発明の利点は、曲線路内の車輪ユニットの正確な調節を保証する点にある。その結果、車輪とレールとの接触中に伝達される台車の全ての車輪ユニットの横方向の力の総和が全ての運転条件の下で等しい。すなわち換言すれば、台車の個々の車輪ユニットに作用するベクトル和が少なくとも量的にほぼ零に等しいように、それぞれの車輪対に作用する複数の横方向の力から成るそれぞれのベクトル和（合力）が調節される。
【００１７】
さらに、全ての車輪ユニットの走行の安定性が、直線軌道内の走行時でも曲線路内でも保証される。この調節は、曲線内では高い張力でも望まない車輪・レール・パラメータでも可能である。それ故に、本発明の好適な実施の形態の場合、車両の車輪ユニットの車輪に作用する横方向の力の総和が均等化（平均）されるように、車輪ユニットの車輪のほぼ静的な調節が曲線走行時に第1 周波数範囲内の調節動作によって実行されることが提唱されている。換言すれば、横方向のベクトル和がそれぞれ各車輪ユニットに作用し、少なくともこの横方向のベクトル和の値が別の車輪ユニットに作用する横方向のベクトル和の値にほぼ一致する。
【００１８】
本発明のもう１つの利点は、適切な調節及びアルゴリズムによって、車輪ユニット間の特別な横方向の力の分布を実現すること、及び／又は車輪若しくは車両の車輪ユニットに対する車輪とレールとの間の特別な磨耗条件をもたらして走行状況、例えば特別な運転条件及び／又は維持条件を最適に合わせることを可能にする点にある。すなわち、車輪とレールの分布対(Rad-Schiene-Profilpaarung) の発生を制御するため、磨耗の適切な分布、例えば所定の磨耗の形成が個々の車輪に対して引き起こされ得る。本発明の方法のさらに好適な構成の場合、それ故に第1 周波数範囲内の調節動作による曲線走行時に、車両の車輪ユニットの車輪に作用する横方向の力が分散するように、車輪ユニットの車輪がほぼ静的に調節される。この分散の場合、走行状況が、プリセット可能な運転条件と維持条件に適合されている。
【００１９】
さらに、本発明の方法にしたがって作動する装置の全ての要素の正常な機能の診断が、それぞれの車輪ユニットの走行安定性及び調節を監視することによって可能である。
【００２０】
本発明の方法の好適な実施の形態は、車両の走行安定性が第２周波数範囲内の第２調節動作によって制御される点に特徴がある。特にこのことは、機械的な系の瞬間の状況の表示が制御中にこの系の１つ又は多数の状況値の測定される瞬時値から例えば対応する安定性マトリクスの形態で確認されることによって実現される。この場合、調節動作を発生させる調節装置の可変性も当然に考慮される。特に横方向の、すなわち車両の長手方向に対して横の車輪ユニットの速度及び加速度並びに垂直軸周りの車輪ユニットの速度及び加速度がこれらの状況値に属する。
【００２１】
機械的な系の瞬間の状況のこの表示は、適切な数学的アルゴリズムによって安定性に基づいて検査される。不安定な場合、安定な系が得られるまで、系を示す調節装置に起因する変数パラメータが変更される。次いで、調節装置に起因する変数パラメータに対してこうして得られた「安定な」瞬時値は、それぞれの調節装置に対する制御信号を生成するためにアクセスされてこれらの調節装置によって安定な系の状況を得る。より長い時間にわたる測定値の記録及び（例えば、フーリエ変換による）これらの一連の測定の分析が必要である安定化制御に対する公知の方法とは違って、速くて直接的で有効な系の安定化がこれによって保証されている。
【００２２】
したがって、本発明の解決手段は、例えば横揺れ止めダンパや摩擦回転止め部材のような走行状況用の車両とボデーとの間の機械的な安定化装置を省略できる。車輪ユニットの連結部内の、特に連結ロッド内の減衰要素も省略できる。さらに、始動角度（Anlaufwinkel）、すなわち走行負荷の減少及び車輪とレールの磨耗の減少又は最適化が利点である。高い速度でも、車両の安定な走行が全ての速度範囲にわたって実現される。連結ロッドが車輪ユニット間及びボデーに対して存在しないために、より簡単な機械的構造に加えて、これらの連結要素による衝撃音及び振動が伝達しない。
【００２３】
特に、集中制御がボデーに対する機械的な作用連結なしに車両内部で作用して、上述したようにより簡単な機械的な構造に加えて、ボデーに対する連結要素による衝撃音及び振動の伝達を阻止するように、台車を有する車輪を備えた車両が集中制御される。この場合、信号を処理する装置等をボデー内やボデー面上に配置してもよいし、しかしながらこの装置等をケーブル等に対応する制御導線だけを介して調節装置の作用要素に接続してもよいことが自明である。
【００２４】
本発明の方法の好適な実施の形態の場合、制御部が少なくとも１つの迅速に応答する調節装置、例えば迅速に応答するアクチュエータを制御することが提唱されている。このアクチュエータは、車両のシャーシ又はボデーに対する車輪ユニットの角度位置を調節して、例えば車輪ユニットを曲線路に対して半径方向に最適に方向合わせさせる。
【００２５】
別の好適な実施の形態の場合、車両の外輪ユニット(Ausseneinheiten) 間の相対角度が少なくとも２つの車輪ユニットを使って調節動作によって調節されて、例えば曲線路内の車両の車輪ユニットを最適に方向合わせ可能にすることが提唱されている。
【００２６】
この調節に対しては、基本的に任意の入力値が使用され得る。これらの入力値は、個々に又は組み合わせて実際の状況、特に車両及び／又は車輪ユニットの実際の移動状況の推測を可能にする。好ましくは、車輪ユニットの位置が、曲率半径及び／又は走行速度及び／又は一様でない横加速度及び／又は摩擦係数及び／又は車輪とレールとの間の分布パラメータに応じて調節される。
【００２７】
さらにこの調節方法に対しては、台車シャーシ又はボデーに対する少なくとも１つの車輪ユニットの算出された横方向の変位，台車シャーシ又はボデーに対する少なくとも１つの車輪ユニットの算出されたヨー角度が利用される。同様に追加で又は新たに、少なくとも１つの調節装置の算出された調節変位又は調節角度又は少なくとも１つの調節装置の算出された制御トルクを利用してもよい。同様に、算出された走行速度，横方向の車輪ユニットの算出された速度又は加速度又は車輪ユニットの算出されたヨー速度若しくはヨー加速度を利用してもよい。最後に、追加で又は新たに、走行路の曲率半径を利用してもよい。
【００２８】
適切な調節動作を実現するため、調節装置が基本的に任意に構成され得る。基本的には、第１調節動作及び第２調節動作がただ１つの調節装置によって生成されることが提唱され得る。この場合、第２調節動作を第２周波数範囲内で生成するため、調節装置を十分迅速に反応するように構成する必要がある。異なる調節装置が第１調節動作及び第２調節動作の生成に対して設けられ得ることも当然に自明である。特に調節装置は、電気式か油圧式か又は気圧式のアクチュエータとして構成されている。
【００２９】
調節装置の数と配置は、基本的に任意に選択され得る。適切な調節動作が確実に生成され得るだけで済む。本発明の装置の好適な実施の形態の場合、車輪ユニットの１車輪当たり、さらに又は別に車輪ユニットの１車輪軸受当たり、そしてさらに又は別に車輪ユニットの連結された複数の車輪当たり、少なくとも１つの調節装置が設けられている。
【００３０】
調節装置と車輪ユニットとの間の連結部分は、基本的に任意に構成され得る。本発明の装置の好適な実施の形態の場合、所望の大きさの調節動作又は制御トルクを簡単な調節装置で簡単に実現するため、変速機が調節装置と車輪ユニットの車輪又は車輪軸受との間に配置され得る。
【００３１】
動作、特に調節装置の動作が、必要な調節動作に合わせられ得る。例えば線形な調節動作が必要であるか又は望ましい場合、調節装置が線形動作を呈することが特に提唱されている。これに対して回転的な調節動作が必要であるか又は望ましい場合、調節装置が回転的な動作を呈することが特に提唱されている。
【００３２】
調節装置は、個々の車輪ユニット間の望ましい連結に応じて基本的に任意に配置できる。すなわち、調節装置が、異なる車両側の車輪間に配置され得る。その一方で調節装置を車両側に、特に車両側の車輪間に配置してもよい。
【００３３】
個々の調節装置が故障したときでも可能な動作を保証するため、本発明の装置の好適な実施の形態の場合、多数の調節装置を組合わせて冗長性をもたせることが提唱されている。このとき、これらの調節装置は、調節動作を有効に生成するために使用される。これらの調節装置は、その他の１つの又は複数の調節装置が故障したときでもそれぞれそれ自体単独で生成できる。
【００３４】
以下に、本発明を図中に示された実施の形態に基づいて詳しく説明する。
【発明を実施するための最良の形態】
【００３５】
図１は、軌条車両用の３軸シャーシ１、例えば３軸台車又はボデーに装着されて連結された一組の車輪若しくは車輪対の形態の３つの車輪ユニットを示す。この３軸シャーシ１は、図中に示さなかった縦ビームと横ビームとから構成されている台車シャーシ又はボデーシャーシを有する。３つの車輪ユニット８，９，１０の車輪軸受ハウジング２〜７が、図示しなかったバネ要素を介して縦ビームに固定されている。つまり、第１車輪ユニット８（外輪）用の車輪軸受ハウジング２，３，第２車輪ユニット９（中輪）用の車輪軸受ハウジング４，５及び第３車輪ユニット１０（外輪ユニット）用の車輪軸受ハウジング６，７が、図示しなかったバネ要素を介して縦ビームに固定されている。これらの車輪ユニット８，９，１０は、複数の車輪１１を有する。これらの車輪ユニット８，９，１０は、図示しなかった駆動モータ、例えばサスペンションモータ又はかご形モータによって駆動され得る。
【００３６】
両外輪ユニット８，１０の車輪軸受ハウジング２，３，６，７は、特に軌条車両の走行方向に又は走行方向に対して逆の方向に可動である。このことは、方向矢印ｘ１，ｘ２によって示されている。中輪ユニット９の車輪軸受ハウジング４，５は、特に軌条車両の走行方向に対して垂直に可動である。このことは、方向矢印ｙ１，ｙ２によって示されている。
【００３７】
車輪軸受ハウジング２，３，４，５，６，７はそれぞれ、同一のシャーシの側方上だけでステアリングロッド回転レバー構成を介して連結されている。
傾斜したステアリングロッド１２が、直角レバー１４のステアリングジョイント１３と車輪軸受ハウジング３のステアリングジョイント１５との間に配置されている。
【００３８】
直角レバー１４が、シャーシ固定回転軸１６を有し、かつステアリングジョイント１７を介して、このステアリングジョイント１７の第２アームを介して中央の車輪ユニット９の車輪軸受５の側面に連結されている。
傾斜したステアリングロッド１２が、直角レバー１４のステアリングジョイント１３と車輪軸受ハウジング３のステアリングジョイント１５との間に配置されている。
【００３９】
シャーシ固定中央回転軸１９を有する回転レバー１８が、車輪軸受ハウジング７に割当てられている。この場合、車輪軸受ハウジング７に向かって延在するステアリングロッド２０が、この回転レバー１８の第１ステアリングジョイント２１に係合し、この回転レバー１８の第２ステアリングジョイント２２が、ステアリングロッド２３に連結されている。このステアリングロッド２３は、他方では直角レバー１４の既に説明したステアリングジョイント１３に向かって延在する。
【００４０】
この実施の形態では、シャーシの一方の側面の車輪軸受ハウジング３，５，７の軸継手が、軌条車両の縦軸に対して対称にシャーシの他方の側面の車輪軸受ハウジング２，４，６でも実現されている。
【００４１】
傾斜ステアリングロッド２４が、直角レバー２６のステアリングジョイント２５と車輪軸受ハウジング２のステアリングジョイント２７との間に配置されている。
【００４２】
直角レバー２６が、シャーシ固定回転軸２８を有し、かつステアリングジョイント２９を介して、このステアリングジョイント２９の第２アームを介して中央の車輪ユニット９の車輪軸受４の側面に連結されている。
【００４３】
シャーシ固定中央回転軸３１を有する回転レバー３０が、車輪軸受ハウジング６に割当てられている。この場合、車輪軸受ハウジング６に向かって延在するステアリングロッド３２が、この回転レバー３０の第１ステアリングジョイント３３に係合し、この回転レバー３０の第２ステアリングジョイント３４が、ステアリングロッド３５に連結されている。このステアリングロッド３５は、他方では直角レバー２６の既に説明したステアリングジョイント２５に向かって延在する。
【００４４】
第１調節動作と第２調節動作を車輪ユニット８，９，１０で生成するため、一連の調節ユニットが、簡単なアクチュエータの形態で設けられている。以下で、これらの調節ユニットの配置と作用を説明する。
【００４５】
走行方向（ｘ１）に又は走行方向とは逆（ｘ２）に作用する線形のアクチュエータ３６が、車輪軸受ハウジング２に対して配置されている。
【００４６】
走行方向（ｙ１，ｙ２）に対して垂直に作用する線形のアクチュエータ３７が、車輪軸受ハウジング４に対して配置されている。これとは別に又はこれと組合わせて、図１中では回転的に作用するアクチュエータ３８が配置されている。このアクチュエータ３８は、回転軸２８周りに回転する。
【００４７】
走行方向（ｘ１）に又は走行方向の逆（ｘ２）に作用する線形のアクチュエータ３９が、車輪軸受ハウジング６に対して配置されている。これとは別に又はこれと組合わせて、図１中では走行方向（ｘ１）に又は走行方向の逆（ｘ２）に作用するアクチュエータ４０及び回転的に作用するアクチュエータ４１が回転レバー３０のステアリングジョイント３３に対して配置されている。アクチュエータ４１は、回転軸３１周りに回転する。
【００４８】
アクチュエータ３６〜４１は、選択的に個々に又は組み合わせて使用され得る。これによって、多数のアクチュエータ３６〜４１を組合わせた場合、冗長性が提供される。その結果、１つ又は多数のアクチュエータ３６〜４１が故障した場合、その他の故障していないアクチュエータが、その少なくとも一部の機能を引き継ぐ。
【００４９】
本発明の方法は、シャーシ内で、すなわちボデーに対する機械的な作用連結なしに、同時に又は集中的に少なくとも２つの周波数範囲内で実施される集中制御にある。
【００５０】
第１周波数範囲内では、シャーシ又は車両の車輪ユニット８，９，１０に作用する横方向の力の総和を均等化（平均）しつつ、車輪ユニット８，９，１０が、曲線路内でほぼ静的に調節される。換言すれば、横方向の力の合力が、各車輪ユニットに作用する。この合力は、別の車輪ユニットの横方向の力の合力に少なくとも動作モードで一致する。
【００５１】
既に上述したように第２周波数範囲内では、走行安定性が制御される。すなわち、以下でさらに詳しく説明する系の１つ又は多数の状況値の測定される瞬時値から、機械的な系の瞬時の状況の表示が得られる。このことは、例えば適切な安定性マトリクスの形態で起こる。このマトリックスは、一方では例えばバネ等のように能動的に制御不可能な系の要素の変更不可能な機械的なパラメータによって影響を受ける。しかしながら、アクチュエータの変動パラメータも、このマトリックスの算出に同様に使用される。
【００５２】
この瞬間の安定性マトリクスが、適切な数学的アルゴリズムによってこれらの安定性に関して検査される。不安定な場合、安定な安定性マトリクスが得られるまで、すなわち安定な系が得られるまで、アクチュエータに起因し、能動的に影響を受ける系記述部(Systembeschreibung)の変動パラメータが適切に変更される。次いで、アクチュエータに起因する変動パラメータに対してこうして得られた「安定な」瞬時値が、それぞれのアクチュエータに対する制御信号を生成するために利用される。したがって、アクチュエータが、迅速に、簡単にかつ有効に安定な系の状況を取得できる。安定性を制御する公知の方法のときとは違って、ここではより長い時間にわたる測定値の記録及び（例えば、フーリエ変換による）これらの一連の測定の分析が不必要である。系の実際の運動状況に対して遅延した反応だけが、この分析によって可能である。特に横方向、すなわち車両の長手方向に対して垂直の車輪ユニットの速度及び加速度並びに垂直軸周りの車輪ユニットの速度及び加速度が、上述した状況値に属する。選択された制御概念に応じて、これらの測定される状況値のうちの少なくとも１つの状況値又はこれらの測定される状況値の組合わせが、上述した安定性の制御に対して利用される。
【００５３】
第２周波数範囲の少なくとも一部は、第１周波数範囲から成る周波数よりも高い。この制御は、迅速に応答するアクチュエータ３６〜４１を制御する。これらのアクチュエータ３６〜４１は、車輪ユニット８，１０の角度位置又はシャーシに対する車輪ユニット９の横方向のずれを調節する。
【００５４】
この実施の形態では、外輪ユニット８，１０間の相対角度及び中輪ユニット９の横方向のずれが制御される。
【００５５】
これとは別に又はこれと組合わせて、シャーシ又はボデーに対する１つ、多数及び／又は多数の車輪ユニット８，９，１０の絶対角度がさらに制御され得る。該当する車輪ユニット８，９，１０のほぼ静的な調節が、この実施の形態では実際に走行する軌道区間の曲率半径だけに依存して制御される。この曲率半径は、適切なセンサ、例えば横加速度センサ及び／又は回転加速度センサ，回転速度センサ及び／又は横速度センサの測定信号によって算定される。
【００５６】
これとは別に、該当する車輪ユニット８，９，１０の調節は、曲率半径，走行速度，一様でない横加速度，摩擦係数及び／又は走行車輪１１とレールとの間の分布パラメータに応じて制御してもよい。これらの値も、適切なセンサ機器によって算定される。
【００５７】
この制御方法に対しては、例えばシャーシに対する各車輪ユニット８，９，１０の横方向の変位，シャーシに対する各車輪ユニット８，９，１０のヨー角度，アクチュエータ３６〜４１の調節変位又は調節角度，アクチュエータ３６〜４１の調節出力又は制御トルク，（絶対）走行速度，横方向の車輪ユニットの（絶対）速度又は（絶対）加速度，車輪ユニットの（絶対）ヨー速度又は（絶対）ヨー加速度，及び／又は曲率半径が、適切なセンサ、例えば横加速度センサ及び／又は横加速度センサ，回転速度センサ及び／又は横速度センサによって感知され得る。
【００５８】
しかも、車輪対又は一組の車輪の運動の周波数分析が不必要であり実施されない。
【００５９】
本発明の装置は、−図１中に示さなかった−アクチュエータ３６〜４１に対応する制御入力部に接続されている制御装置を有する。この制御装置は、少なくとも２つ、この実施の形態では３つの車輪ユニット８，９，１０を有する軌条車両又は少なくとも２つの車輪ユニットを有する軌条車両の台車のこれらの車輪ユニット８，９，１０のほぼ静的な調節と安定性制御とに使用される。アクチュエータ３６〜４１は、一方ではほぼ静的な操舵形態の第１調節動作及び走行すべき軌道区間、例えば曲線路の曲率半径に応じた出力を生成し、そして曲線走行時と直線走行時の双方の操舵形態の第２調節動作及び車両走行を安定化するより高い周波数を有する出力を重畳させる。
【００６０】
アクチュエータ３６〜４１は、調節装置の基準に応じた操舵及び出力を生成する。
【００６１】
アクチュエータ３６〜４１は、車輪ユニット８，１０を垂直軸周りに回転させ、及び／又は車輪ユニット９を横方向に並進させる。
【００６２】
出力は、電気式に、油圧式に、空気式に又はこれらの方法を組合わせることによってアクチュエータ３６〜４１で生成される。
【００６３】
この実施の形態のように、車輪ユニット８，９，１０の１車輪１１又は車輪軸受当たり少なくとも１つのアクチュエータ３６〜４１が、シャーシの側面上に設けられている。
【００６４】
１つのアクチュエータ３６〜４１が、互いに連結されている少なくとも２つの車輪に対して作用する。この連結部分は、この実施の形態のように同一の車輪ユニット８，９，１０の車輪１１ともう１つの車輪１１又は同一の車両側面若しくは対向する車両側面上の別の車輪ユニットの車輪との間に配置してもよい。
【００６５】
アクチュエータ３６〜４１の出力及びトルクが、調節に又は変速機の中間切換の下で伝達される。
【００６６】
この実施の形態では、アクチュエータ３６，３７，３９，４０の動作が線形である。これらのアクチュエータ３６，３７，３９，４０は、同時にステアリングロッドの機能を請け負う。これらのアクチュエータ３６，３７，３９，４０は、さらに場合によっては存在する受動的な連結部分に作用し、レバー又はロッドを介してこの連結部分に連結されている。
【００６７】
さらにアクチュエータは、アクチュエータ３８，４１の実施の形態のときのように回転的に作用してもよい。このとき、このアクチュエータは、回転軸受の機能を同時に請け負う。このアクチュエータは、さらに場合によっては存在する受動的な連結部分に作用し、レバー又はロッドを介して又は回転連結部分を介してこの受動的な連結部分に連結されている。
【００６８】
図２は、軌条車両のシャーシを示す。１つの台車シャーシ又はボデーシャーシ５０，複数の車輪５３を有する２つの車輪ユニット５１，５２及び車輪軸受ハウジング５４〜５７が示されている。車輪ユニット５１，５２は、回転軸５８，回転レバー５９，６０及びステアリングロッド６１によってラジアルに制御可能に軸支され、主バネ要素６２によってシャーシ５０に連結されている。
【００６９】
アクチュエータ６３〜６５は、ほぼ静的な操舵の形態の調節動作及び走行すべき走行路区間、例えば曲線路の曲率半径に応じた出力を生成し、そして操舵形態の第２調節動作及び車両走行を安定化させるより高い周波数の出力を曲線走行時と直線走行時の双方で重畳させる。
【００７０】
アクチュエータ６３〜６５は、これらのアクチュエータに接続されている−図２中に示さなかった−本発明の制御装置の基準に応じた操舵及び出力を生成する。
【００７１】
アクチュエータ６３〜６５は、車輪ユニット５１，５２を垂直軸周りに回転させる。
【００７２】
出力は、電気式に、油圧式に、空気式に又はこれらの方法を組合わせることによってアクチュエータ６３〜６５で生成される。
【００７３】
アクチュエータ６３〜６５が回転軸５８，回転レバー５９，６０及びステアリングロッド６１を介して連結されているので、これらのアクチュエータは、この実施の形態では両車輪ユニット５１，５２に対して作用する。線形のアクチュエータ６３は、回転レバー５９のジョイント点６６に配置されている。線形のアクチュエータ６４は、車輪ユニット５２の車輪軸受ハウジング５６に配置されている。回転式のアクチュエータ６５は、回転レバー５９に配置されていて、水平方向に延在する回転軸６７周りに回転する。
【００７４】
アクチュエータ６３〜６５のうちの１つ、多数又は全てのアクチュエータを設けてもよい。アクチュエータ６３〜６５のうちの多数が使用される場合、所定のアクチュエータが、第１調節動作の生成に、すなわち曲線路にしたがう車輪ユニットのほぼ静的な調節に（すなわち、特により低い周波数範囲内で）使用され、その他のアクチュエータは、第２調節動作の生成に、すなわち安定化制御に（すなわち、特により高い周波数範囲内で）使用されることが考えられる。
【００７５】
多数のアクチュエータ６３〜６５を組合わせた場合、これによって冗長性が提供される。その結果、１つ又は多数のアクチュエータ６３〜６５が故障した場合、その他の故障していないアクチュエータが、その機能の少なくとも一部を引き継ぐ。
【００７６】
回転軸５８は省略してもよい；それ故にこの場合は、この種類の少なくとも１つのアクチュエータ６３〜６５が各側面に配置される。
【００７７】
第１周波数範囲内では、シャーシ又は車両の車輪対又は一組の車輪５１に作用する横方向の力の総和を均等化（平均）しつつ、車輪ユニット５１，５２が、曲線路内でほぼ静的に調節される。換言すれば、横方向の力のベクトル和が、それぞれの車輪ユニットに作用する。このベクトル和は、その他の車輪ユニットに作用する横方向の力のベクトル和に少なくとも動作モードで一致する。
【００７８】
第２周波数範囲内では、走行安定性の上述した制御が実施される。この場合、この第２周波数範囲の少なくとも一部が、第１周波数範囲から成る周波数よりも高くある周波数を呈する。制御装置が、迅速に反応するアクチュエータ６３〜６５を制御する。この制御は、この制御装置によって実現される。これらのアクチュエータ６３〜６５は、シャーシに対する車輪ユニット５１，５２の角度位置を調節する。
【００７９】
この実施の形態でも、車輪ユニット５１，５２間の相対角度が制御される。該当する車輪ユニット５１，５２のほぼ静的な調節が、この実施の形態でも走行すべき走行路区間の曲率半径だけに応じて制御される。
【００８０】
図３，４中にはそれぞれ、能動的なラジアル制御部を有するシャーシ又は車両の個々の車輪ユニット及び１つ又は多数のアクチュエータ６８〜７６の異なる配置の可能性が示されている。
【００８１】
図３中には、線形のアクチュエータ６８が、車輪軸受ハウジング７７に配置されている。線形のアクチュエータ６９が、ステアリングビーム７９の端部のステアリングジョイント７８に配置されている。ステアリングジョイント７８が、同時にステアリングロッド８０を介して車輪軸受ハウジング７７に接続されている。ステアリングロッド８０が、垂直回転軸８１周りに回転可能に軸支されている。この垂直回転軸８１は、車両の中心線と交差する。線形のアクチュエータ７０が、ステアリングビーム７９に沿って回転軸８１の外側に配置されたステアリングジョイント８２に配置されている。回転式アクチュエータ７１が、ステアリングビーム７９の回転点８１に配置されている。回転式アクチュエータ７２が、回転レバー８３及びステアリングロッド８４を介して回転軸８１の外側のステアリングビーム７９のステアリングジョイント８５に連結されている。ステアリングビーム７９が、このステアリングビーム９の端部に配置されたステアリングジョイント８６及びこのステアリングジョイント８６に固定されたステアリングロッド８７を介して車輪軸受ハウジング８８に連結されている。
【００８２】
走行方向に作用する線形のアクチュエータ７３（図４）が、ステアリングジョイント８９を介して直角レバー９０の脚と共に作動し、ステアリングロッド９１が、車輪軸受ハウジング９２に作用する。直角レバー９０が、水平な回転軸９３周りに軸支されている。回転式アクチュエータ７６が、この回転軸９３に係合する。これらの線形なアクチュエータ７４，７５は、ステアリングビーム９４に平行に作用する。このことは、ステアリングジョイント９５を介してステアリングビーム９４で又は直角レバー９７の脚のステアリングジョイント９６に対して実施される。直角レバー９７は、垂直な回転軸９８周りに軸支されていて、他方の端部でステアリングジョイントとステアリングロッド９９を介して車輪軸受ハウジング１００に連結されている。これらのアクチュエータ７３〜７６も、冗長性を高めるために個々に又は組み合わせて使用可能である。
【００８３】
図５〜７中には、それぞれ１つのアクチュエータ１０１，１０２を有するシャーシ又は車両の個々の車輪ユニットが示されている。
【００８４】
回転式アクチュエータ１０１が、対応するステアリングジョイント１０４，両端部に対して 90 °だけ屈曲し、その縦軸周りに回転可能に軸支された回転軸１０５，ステアリングロッド１０６及び車輪軸受ハウジング１０７を介して両車輪１０３の連結部分の機能を同時に請け負う。したがって、アクチュエータ１０１は、安定性制御に応じて両車輪１０３を同時に調節して、車輪１０３を垂直軸周りに回転させる。換言すれば、このアクチュエータ１０１は、第１調節動作及び第２調節動作を同時に生成する。
【００８５】
図６中には、２つの車輪１０８が、ステアリングロッド１１０，ステアリングジョイント１１１及び両端部に対して反対方向に 90 °だけ屈曲し、その縦軸周りに回転可能に軸支された回転軸を介してこれらの車輪１０８の車輪軸受ハウジング１０９に連結されている。回転式アクチュエータ１０２が、ステアリングジョイント１１３及びステアリングロッド１１４を介して回転軸１１２の屈曲された端部間に配置されている。この回転式アクチュエータ１０２は、回転軸１１２をその縦軸周りに回転させ、同時に車輪１０８を垂直軸周りに回転させる。
【００８６】
図５の実施の形態でも図６の実施の形態でも、アクチュエータ１０１、１０２が、車輪１０３，１０８間でほぼ中央に配置され得る。最適な取付け場所は、所要面積及び個々の要素の重量分布にしたがって調整される。
【００８７】
図７は、連結された車輪１１５を有する個々の車輪ユニットのもう１つの実施の形態を示す。この連結は、車輪軸受ハウジング１１６，この車輪軸受ハウジング１１６に配置されたステアリングロッド１１７，１１８，１１９，ステアリングジョイント１２０及び回転軸１２１を介して実現される。この回転軸１２１は、シャーシに固定された軸受１２２によってその縦軸周りに回転可能に軸支されている。ステアリングロッド１１８，１１９に連結するため、レバー１２３が、ステアリングジョイント１２０を介して回転軸１２１の端部に配置されている。両ステアリングロッド１１７，１１９が、回転式アクチュエータ１２４に連結されている。このアクチュエータ１２４は、車輪１１５を垂直軸周りに回転させる。したがって、回転式アクチュエータ１２４は、シャーシの横に配置してもよい。
【図面の簡単な説明】
【００８８】
【図１】自己誘導式の３軸シャーシ又は車両を概略的にかつ縮尺に従わないで示す。
【図２】２軸車輪又は車両を概略的にかつ縮尺に従わないで示す。
【図３】能動的なラジアル制御部を有するシャーシ又は車両の車輪対又は一組の車輪を異なる構成でそれぞれ概略的にかつ縮尺に従わないで示す。
【図４】能動的なラジアル制御部を有するシャーシ又は車両の車輪対又は一組の車輪を異なる構成でそれぞれ概略的にかつ縮尺に従わないで示す。
【図５】能動的なラジアル制御部を有するシャーシ又は車両の車輪対又は一組の車輪を異なる構成でそれぞれ概略的にかつ縮尺に従わないで示す。
【図６】能動的なラジアル制御部を有するシャーシ又は車両の車輪対又は一組の車輪を異なる構成でそれぞれ概略的にかつ縮尺に従わないで示す。
【図７】能動的なラジアル制御部を有するシャーシ又は車両の車輪対又は一組の車輪を異なる構成でそれぞれ概略的にかつ縮尺に従わないで示す。
【符号の説明】
【００８９】
１  ３軸シャーシ
２  車輪軸受ハウジング
３  車輪軸受ハウジング
４  車輪軸受ハウジング
５  車輪軸受ハウジング
６  車輪軸受ハウジング
７  車輪軸受ハウジング
８  車輪ユニット
９  車輪ユニット
１０  車輪ユニット
１１  車輪
１２  ステアリングロッド
１３  ステアリングジョイント
１４  直角レバー
１５  ステアリングジョイント
１６  回転軸
１７  ステアリングジョイント
１８  回転レバー
１９  回転軸
２０  ステアリングロッド
２１  第１ステアリングジョイント
２２  第２ステアリングジョイント
２３  ステアリングロッド
２４  ステアリングロッド
２５  ステアリングジョイント
２６  直角レバー
２７  ステアリングジョイント
２８  回転軸
２９  ステアリングジョイント
３０  回転レバー
３１  回転軸
３２  ステアリングロッド
３３  第１ステアリングジョイント
３４  第２ステアリングジョイント
３５  ステアリングロッド
３６  アクチュエータ
３７  アクチュエータ
３８  アクチュエータ
３９  アクチュエータ
４０  アクチュエータ
４１  アクチュエータ
５０  ボデーシャーシ
５１  車輪ユニット
５２  車輪ユニット
５３  車輪
５４  車輪軸受ハウジング
５５  車輪軸受ハウジング
５６  車輪軸受ハウジング
５７  車輪軸受ハウジング
５８  回転軸
５９  回転レバー
６０  回転レバー
６１  ステアリングロッド
６２  主バネ要素
６３  アクチュエータ
６４  アクチュエータ
６５  アクチュエータ
６６  ジョイント点
６８  アクチュエータ
６９  アクチュエータ
７０  アクチュエータ
７１  アクチュエータ
７２  アクチュエータ
７３  アクチュエータ
７４  アクチュエータ
７５  アクチュエータ
７６  アクチュエータ
７７  車輪軸受ハウジング
７８  ステアリングジョイント
７９  ステアリングビーム
８０  ステアリングロッド
８１  回転軸
８２  ステアリングジョイント
８３  回転レバー
８４  ステアリングロッド
８５  ステアリングジョイント
８６  ステアリングジョイント
８７  ステアリングロッド
８８  車輪軸受ハウジング
８９  ステアリングジョイント
９０  直角レバー
９１  ステアリングロッド
９２  車輪軸受ハウジング
９３  回転軸
９４  ステアリングビーム
９５  ステアリングジョイント
９６  ステアリングジョイント
９７  直角レバー
９８  回転軸
９９  ステアリングロッド
１００  車輪軸受ハウジング
１０１  アクチュエータ
１０２  アクチュエータ
１０３  車輪
１０４  ステアリングジョイント
１０５  回転軸
１０６  ステアリングロッド
１０７  車輪軸受ハウジング
１０８  車輪
１０９  車輪軸受ハウジング
１１０  ステアリングロッド
１１１  ステアリングジョイント
１１２  回転軸
１１３  ステアリングジョイント
１１４  ステアリングロッド
１１５  車輪
１１６  車輪軸受ハウジング
１１７  ステアリングロッド
１１８  ステアリングロッド
１１９  ステアリングロッド
１２０  ステアリングジョイント
１２１  回転軸
１２２  軸受
１２３  レバー
１２４  アクチュエータ
【図１】
0004459617.tif 000002
【図２】
0004459617.tif 000003
【図３】
0004459617.tif 000004
【図４】
0004459617.tif 000005
【図５】
0004459617.tif 000006
【図６】
0004459617.tif 000007
【図７】
0004459617.tif 000008